(57)【要約】【課題】  網制御機能のない簡易な構成のＩＰ交換機を使用してナースコール親機と携帯型親機との通信を可能としたナースコールシステムを構築する。【解決手段】  ナースコール親機２及び携帯型親機３に、双方の間でＩＰ通信を可能とする親機ＩＰ送受信回路２５、携帯型親機ＩＰ送受信回路３４を設け、ナースコール親機２に、ナースコール子機１からの呼び出しを携帯型親機３に通知制御する親機ＣＰＵ２７と、ナースコール子機１と携帯型親機３との間でＩＰ通信を可能とするコマンド変換回路２４を設けた。また、ナースコール親機２と携帯型親機３との通信を制御するＩＰ交換機６をナースコール親機２にＬＡＮ接続した。【選択図】  図２
2010200021.tif 000002
【特許請求の範囲】
【請求項１】
病室内の患者が看護師を呼び出すためのナースコール子機と、ナースステーションに設置されて前記ナースコール子機からの呼び出しに看護師が応答するためのナースコール親機と、看護師が携行してナースコール子機からの呼び出しに応答可能な携帯型親機とを有するナースコールシステムにおいて、
前記ナースコール親機及び前記携帯型親機は、双方の間でＩＰ通信を可能とするＩＰ送受信手段を有すると共に、前記ナースコール親機は前記ナースコール子機からの呼び出しを前記携帯型親機に通知する呼出制御手段と、前記ナースコール子機と前記携帯型親機との間でＩＰ通信を可能とするためのコマンド変換回路とを有し、
更に、前記携帯型親機との通信を制御するＩＰ交換機が前記ナースコール親機にＬＡＮ接続され、
前記呼出制御手段は、前記ナースコール子機からの呼び出しを前記ＩＰ交換機を介して前記携帯型親機に送信すると共に、前記ナースコール親機も呼び出し動作させることを特徴とするナースコールシステム。
【請求項２】
病室内を撮像するカメラを備えて、前記ナースコール親機及び前記携帯型親機は前記カメラの撮像映像を表示するモニタを夫々備え、
前記ナースコール親機は、前記ナースコール子機からの呼び出しを受けたら、前記カメラから映像信号を入手して前記ナースコール親機のモニタに表示させる映像制御部と、前記カメラの撮像映像を前記ＩＰ交換機が伝送可能なパケット信号に変換する映像信号変換部とを備え、
前記呼出制御手段は、呼出信号の送信に合わせてパケット信号に変換された映像信号も携帯型親機に対して送信することを特徴とする請求項１記載のナースコールシステム。
【発明の詳細な説明】
【技術分野】
【０００１】
本発明はナースコールシステムに関し、特にベッド数の少ない小規模の病院に適したナースコールシステムに関する。
【背景技術】
【０００２】
看護師に携帯型親機を携行させて、ナースステーションに居なくても患者から呼び出しが成されたら応答することができるナースコールシステムが普及している。このような従来のナースコールシステムは、ナースステーションに設置されるナースコール親機と看護師が携行する携帯型親機の間に集中制御型交換機を配置して両者の間の通信を可能としていた。
例えば、特許文献１に記載されたナースコール装置で使用される交換機は、ナースコール親機（或いはナースコール子機）から携帯型親機の端末番号と呼出種別とが送信されると、交換機はそれがナースコール親機からの信号であることを認識し、端末番号を特定して呼出を行う。このような通信シーケンスをスムーズに実現するために、交換機はナースコール親機との通信に対しては、大量のデータの入出力が可能な網制御機能を備えた入出力端子を採用していた。そのために、携帯電話の中継局のような比較的大きな交換機となり、コストアップの要因となっていた。
【先行技術文献】
【特許文献】
【０００３】
【特許文献１】特開２００２−２４７２１８号公報
【発明の概要】
【発明が解決しようとする課題】
【０００４】
しかしながら、携帯型親機を使用できるナースコールシステムを要望する病院の中には、ベッド数が少ない小規模な病院もあり、そのような病院では現状の交換機を使用するシステムではコストが嵩み導入が難しかった。
そこで、本発明はこのような問題点に鑑み、網制御機能のない簡易な構成のＩＰ交換機を使用してナースコール親機と携帯型親機との通信を可能としたナースコールシステムを構築することを目的とする。
【課題を解決するための手段】
【０００５】
上記課題を解決する為に、請求項１の発明は、病室内の患者が看護師を呼び出すためのナースコール子機と、ナースステーションに設置されてナースコール子機からの呼び出しに看護師が応答するためのナースコール親機と、看護師が携行してナースコール子機からの呼び出しに応答可能な携帯型親機とを有するナースコールシステムにおいて、ナースコール親機及び携帯型親機は、双方の間でＩＰ通信を可能とするＩＰ送受信手段を有すると共に、ナースコール親機はナースコール子機からの呼び出しを携帯型親機に通知する呼出制御手段と、ナースコール子機と携帯型親機との間でＩＰ通信を可能とするためのコマンド変換回路とを有し、更に、携帯型親機との通信を制御するＩＰ交換機が前記ナースコール親機にＬＡＮ接続され、呼出制御手段は、ナースコール子機からの呼び出しをＩＰ交換機を介して携帯型親機に送信すると共に、ナースコール親機も呼び出し動作させることを特徴とする。
この構成によれば、ＩＰ通信により携帯型親機にナースコール子機からの呼び出しを通知できるため、交換機を無線ルータに近い簡易な構成のＩＰ交換機を使用できる。よって、従来の網制御を実施する交換機を使用するシステムに比べて安価に構成できる。特に、ベッド数が少ない小規模な病院の場合、従来の交換機を使用する場合と遜色のないスムーズな動作を低コストで実現できる。
【０００６】
請求項２の発明は、請求項１に記載の構成において、病室内を撮像するカメラを備えて、ナースコール親機及び携帯型親機はカメラの撮像映像を表示するモニタを夫々備え、ナースコール親機は、ナースコール子機からの呼び出しを受けたら、カメラから映像信号を入手してナースコール親機のモニタに表示させる映像制御部と、カメラの撮像映像をＩＰ交換機が伝送可能なパケット信号に変換する映像信号変換部とを備え、呼出制御手段は、呼出信号の送信に合わせてパケット信号に変換された映像信号も携帯型親機に対して送信することを特徴とする。
この構成によれば、患者からの呼び出しに対して患者像を映像で確認して応答できるので、看護師は患者の状況を的確に把握できる。
【発明の効果】
【０００７】
本発明によれば、ＩＰ通信により携帯型親機にナースコール子機からの呼び出しを通知できるため、交換機を無線ルータに近い簡易な構成のＩＰ交換機を使用できる。よって、従来の網制御を実施する交換機を使用するシステムに比べて安価に構成できる。特に、ベッド数が少ない小規模な病院の場合、従来の交換機を使用する場合と遜色のないスムーズな動作を低コストで実現できる。
【図面の簡単な説明】
【０００８】
【図１】本発明に係るナースコールシステムの一例を示す概略構成図である。
【図２】図１の要部をブロック図で示した構成図である。
【発明を実施するための形態】
【０００９】
以下、本発明を具体化した実施の形態を、図面に基づいて詳細に説明する。図１は本発明に係るナースコールシステムの一例を示す概略構成図であり、１は病室内の患者が看護師を呼び出すためにベッド毎に設置されたナースコール子機、２はナースステーションに設置されてナースコール子機１からの呼び出しに看護師が応答するためのナースコール親機、３は看護師が携行してナースコール子機１からの呼び出しに応答可能な携帯型親機、４は患者からの呼び出しを病室前で表示する廊下灯、５は病室毎に設置されて病室内を撮像するカメラ、６はＩＰ（Ｉｎｔｅｒｎｅｔ  Ｐｒｏｔｏｃｏｌ）通信によりナースコール子機１からの呼び出しを携帯型親機３に通知し、更に通話を可能とするＩＰ交換機、７は携帯型親機３と無線通信するための無線送受信器である。尚、無線送受信器７は、病院の広さに応じて設置台数が決定され、少なくとも１台設置される。
【００１０】
ナースコール子機１は病室毎に廊下灯４に子機伝送線Ｌ１を介して接続され、廊下灯４は廊下灯伝送線Ｌ２によりナースコール親機２に接続される。また、カメラ５はデジタル映像信号を送出するＷＥＢカメラで構成され、ＬＡＮケーブルＬ３を介してナースコール親機２に接続される。更に、ナースコール親機２とＩＰ交換機６、ＩＰ交換機６と無線送受信器７は夫々ＬＡＮケーブルＬ４，Ｌ５により接続される。
【００１１】
図２は図１の要部をブロック図で示した構成図であり、この図２に示すように、ナースコール子機１は、看護師を呼び出すための呼出ボタン１１、応答した看護師と通話するための子機音響部１２、廊下灯４と通信するための子機インターフェース（子機ＩＦ）１３等を備えている。
【００１２】
また、ナースコール親機２は、カメラ５の撮像映像を表示する親機モニタ２１、ナースコール子機１からの呼び出しに応答するための通話ボタン２２、呼び出しを報音すると共に呼出操作した患者と通話するための親機音響部２３、呼出信号や音声信号、更には映像信号等をＩＰ交換機６が伝送可能なパケット信号に変換するコマンド変換回路２４、ＩＰ交換機６と通信するためのインターフェースである親機ＩＰ送受信回路２５、ナースコール子機１と携帯型親機３の関係、及びナースコール子機１とカメラ５の関係を記憶する記憶部２６、ナースコール親機２を制御する親機ＣＰＵ２７、ナースコール子機１及びカメラ５と通信するための親機インターフェース（親機ＩＦ）２８、映像信号をＩＰ交換機６が伝送可能なパケット信号に変換する映像信号変換部２９等を備えている。
【００１３】
具体的に、記憶部２６には、ナースコール操作した患者を担当している看護師に対して呼び出しが通知されるよう、ナースコール子機１に携帯型親機３を関連づけたテーブルが記憶され、ナースコール子機１を操作した患者が撮像されるように、病室毎にナースコール子機１とカメラ５を関連付けたテーブルが記憶されている。
【００１４】
携帯型親機３は、カメラ５の撮像映像を表示する携帯型親機モニタ３１と、呼び出しに応答するための通話ボタン３２と、呼出を報音すると共に通話するための携帯型親機音響部３３と、無線送受信器７とＩＰ通信を実施するインターフェースである携帯型親機ＩＰ送受信回路３４と、携帯型親機３を制御する携帯型親機ＣＰＵ３５等を備えている。
【００１５】
ＩＰ交換機６は、ナースコール親機２と通信するための第１内線入出力回路６１、無線送受信器７と通信するための第２内線入出力回路６２、ＩＰ交換機を制御する交換機ＣＰＵ６３等を備えている。
【００１６】
このように構成したナースコールシステムにおいて、ナースコール子機１からの呼び出し、及び通話は以下のように行われる。
ナースコール子機１の呼出ボタン１１が押されると、子機ＩＦ１３から廊下灯４を経由してナースコール親機２へ呼出信号が伝送される。ナースコール親機２へ伝送された呼出信号は、親機ＩＦ２８を介して親機ＣＰＵ２７で認識され、親機ＣＰＵ２７は親機音響部２３から呼出音を報音させる。
【００１７】
また親機ＣＰＵ２７は、呼出信号に含まれるナースコール子機識別情報を基に、ナースコール子機１に関連付けられている携帯型親機３の情報を記憶部２６から読み出し、関連付けられている携帯型親機３を呼び出す呼出信号を生成して送信する。この携帯型親機３への呼出信号は、コマンド変換回路２４でＩＰ交換機６が伝送可能なパケット信号に変換され、親機ＩＰ送受信回路２５を介して送出される。コマンド変換回路２４は、呼出信号をＩＰ交換機６が認識可能な信号、即ちあたかも携帯型親機３から発信されたかのようなフォーマットに変換し、変換した呼出信号を親機ＩＰ送受信回路２５からＩＰ交換機６に送信する。
【００１８】
一方で、親機ＣＰＵ２７は、呼出元のナースコール子機１に関連付けられているカメラ５を記憶部２６から読み出して特定し、該当するカメラ５に映像要求信号を送る。この信号を受けて撮像を開始したカメラ５から撮像映像を入手したら、親機モニタ２１に表示させる。また、カメラ５から入手している映像信号を、映像信号変換部２９によって呼出信号と同様にＩＰ交換機６が伝送できるパケット信号に変換し、コマンド変換回路２４、親機ＩＰ送受信回路２５を介してＩＰ交換機６に送出する。
【００１９】
呼出信号が送信されたＩＰ交換機６は、第１内線入出力回路６１を介して交換機ＣＰＵ６３が認識する。交換機ＣＰＵ６３は、呼出信号であることを認識したら、第２内線入出力回路６２から無線送受信器７へ呼出信号を送信し、無線送受信器７から携帯型親機３に対して呼出信号が発信される。
【００２０】
無線送受信器７から発信された呼出信号は、携帯型親機３の携帯型親機ＩＰ送受信回路３４で受信され、携帯型親機ＣＰＵ３５で認識される。呼出信号を認識した携帯型親機ＣＰＵ３５は、呼出信号から自身が呼び出されていると認識し、携帯型親機音響部３３から呼出音を報音させる。
【００２１】
こうして、ナースコール親機２、及び携帯型親機３で呼び出しがなされ、何れか先に応答操作された方で、ナースコール子機１との間で通話路が形成される。
ナースコール親機２の通話ボタン２２が先に押されると、親機ＣＰＵ２７は、ナースコール親機２の親機音響部２３と呼出操作されたナースコール子１の子機音響部１２との間の通話路を形成し、ナースコール子機１とナースコール親機２との間で双方向通話が可能となる。こうして、看護師は患者の既に表示されている患者映像を親機モニタ２１で確認しながら患者と通話することができる。尚、このナースコール親機２から応答操作された時点で、携帯型親機３への呼出信号の送信は終了される。
【００２２】
また、携帯型親機３の通話ボタン３２が先に押下されると、携帯型親機ＣＰＵ３５は、応答信号を携帯型親機ＩＰ送受信回路３４から無線送受信器７を介してＩＰ交換機６に送信する。ＩＰ交換機６は、この応答信号を第２内線入出力回路６２を介して交換機ＣＰＵ６３が受信したら、通話路形成信号を第１内線入出回路６１からナースコール親機２に送信する。
ナースコール親機２は、ＩＰ交換機６から通話路形成信号が送信されたら、コマンド変換回路２４により親機ＣＰＵ２７が認識可能な所定のフォーマットの信号に変換される。この信号を親機ＣＰＵ２７が認識したら、ナースコール子機１との通話路を形成制御し、携帯型親機３とナースコール子機１との間で通話路が形成される。また、ナースコール親機２での呼出音の報音は終了となる。
【００２３】
一方、携帯型親機３から応答信号を受信した交換機ＣＰＵ６３は、ナースコール親機２から送信を受けている映像信号を携帯型親機３に送信する。この映像信号を受信した携帯型親機３は、携帯型親機ＣＰＵ３５の制御によりパケット信号が復号され、携帯型親機モニタ３１に表示される。この結果、携帯型親機３で先に応答した場合も、通話に合わせて患者映像を確認できる。
【００２４】
このように、ＩＰ通信により携帯型親機にナースコール子機からの呼び出しを通知できるため、交換機を無線ルータに近い簡易な構成のＩＰ交換機を使用できる。よって、従来の網制御を実施する交換機を使用するシステムに比べて安価に構成できる。特に、ベッド数が少ない小規模な病院の場合、従来の交換機を使用する場合と遜色のないスムーズな動作を低コストで実現できる。
また、患者からの呼び出しに対して患者像を映像で確認して応答できるので、看護師は患者の状況を的確に把握できる。
【００２５】
尚、上記実施形態では、複数ある携帯型親機３の中から呼出操作されたナースコール子機１に関連付けられている携帯型親機３を選択して呼び出しを実施しているが、携帯型親機３の数が少ない場合は、ナースコール子機１からの呼び出しを全ての携帯型親機３に対して通知しても良い。その場合は、記憶部２６にナースコール子機１と携帯型親機３の関係を記憶する必要がない。
また、携帯型親機３に表示されるカメラ５の撮像映像は、応答操作後となっているが、呼出音の報音に合わせて、表示させても良い。
【符号の説明】
【００２６】
１・・ナースコール子機、２・・ナースコール親機、３・・携帯型親機、５・・カメラ、６・・ＩＰ交換機、７・・無線送受信器、２１・・親機モニタ、２４・・コマンド変換回路、２５・・親機ＩＰ送受信回路（ＩＰ送受信手段）、２７・・親機ＣＰＵ（呼出制御手段、映像制御部）、２９・・映像信号変換部、３１・・携帯型親機モニタ、３４・・携帯型親機ＩＰ送受信回路（ＩＰ送受信手段）。
【図１】
2010200021.tif 000003
【図２】
2010200021.tif 000004